(57)【要約】【課題】ハンズフリー通話と、携帯電話機による通話（ハンドセット通話）とを切り換える場合に、利便性の高い電子装置を提供すること。【解決手段】携帯電話機１５と無線通信を行うハンズフリー機能を有する電子装置において、携帯電話機１５と無線接続するための接続手段と、接続手段による携帯電話機１５との無線接続時に、携帯電話機１５が通話状態であった場合に、携帯電話機１５による通話を停止するとともに、ハンズフリーによる通話を行うよう制御する制御手段とを装備する。【選択図】図１
2010124473.tif 000002
【特許請求の範囲】
【請求項１】
携帯電話と無線通信を行うハンズフリー機能を有する電子装置において、
前記携帯電話と無線接続するための接続手段と、
該接続手段による前記携帯電話との無線接続時に、該携帯電話が通話状態であった場合に、前記携帯電話による通話を停止するとともに、ハンズフリーによる通話を行うよう制御する制御手段とを備えていることを特徴とする電子装置。
【請求項２】
前記制御手段が、前記携帯電話による通話を維持した状態で前記ハンズフリーによる通話を開始し、その後、前記携帯電話による通話を停止することを特徴とする請求項１記載の電子装置。
【請求項３】
前記制御手段が、当該電子装置への電源供給の状態を検知して、自動的に前記ハンズフリーによる通話を開始することを特徴とする請求項１記載の電子装置。
【請求項４】
携帯電話と無線通信を行うハンズフリー機能を有する電子装置において、
前記携帯電話と無線接続するための接続手段と、
前記携帯電話が通話状態にあるときに、前記接続手段によって、前記携帯電話との無線接続が確立された場合、前記携帯電話による通話を維持し、当該通話中に所定操作がなされた場合に、前記携帯電話による通話を停止したハンズフリー通話とする制御を行う制御手段とを備えていることを特徴とする電子装置。
【請求項５】
前記所定操作が、イグニッションスイッチの操作であることを特徴とする請求項４記載の電子装置。
【請求項６】
前記所定操作が、当該電子装置に設けられたスイッチの操作であることを特徴とする請求項４記載の電子装置。
【請求項７】
携帯電話と無線通信を行うハンズフリー機能を有する電子装置において、
前記携帯電話と無線接続するための接続手段と、
該接続手段によって前記携帯電話との無線接続が確立した場合に、少なくとも前記携帯電話による通話を維持する第１のモードと、ハンズフリーのみによる通話を行う第２のモードとを選択可能な制御手段とを備えていることを特徴とする電子装置。
【請求項８】
前記第１のモードが、前記携帯電話による通話及び前記ハンズフリーによる通話の両方を維持するモードであることを特徴とする請求項７記載の電子装置。
【請求項９】
携帯電話と無線通信を行うハンズフリー機能を有する電子装置において、
前記携帯電話と無線接続するための接続手段と、
該接続手段により前記携帯電話と無線接続された場合に、前記携帯電話による通話、及びハンズフリーによる通話が行えるよう制御する制御手段とを備えていることを特徴とする電子装置。
【請求項１０】
携帯電話と無線通信を行うハンズフリー機能を有する電子装置において、
前記携帯電話と無線接続するための接続手段と、
該接続手段により前記携帯電話と無線接続され、ハンズフリーによる通話中に、前記携帯電話のスイッチ操作を示す信号を受信した場合、前記ハンズフリーによる通話を停止する制御手段とを備えていることを特徴とする電子装置。
【請求項１１】
携帯電話との無線通信に関する検知を行う接続検知手段と、
前記携帯電話による通話を禁止してハンズフリーによる通話を行うよう制御する制御手段とを有する、ハンズフリー機能を備えた電子装置において、
バッテリ容量監視部と、
該バッテリ容量監視部によりバッテリの容量低下が検出された場合に報知を行うとともに、ハンズフリーによる通話を禁止する制御手段とを備えていることを特徴とする電子装置。
【請求項１２】
携帯電話と無線通信を行うハンズフリー機能を有する電子装置において、
前記携帯電話と無線接続するための接続手段と、
該接続手段により前記携帯電話と無線接続されている場合に、イグニッションスイッチの操作に応じて前記携帯電話による通話、又は前記携帯電話による通話を停止したハンズフリー通話を選択するよう制御する制御手段を備えていることを特徴とする電子装置。
【発明の詳細な説明】
【技術分野】
【０００１】
本発明は、電子装置に関し、より詳細には、携帯電話と無線通信を行うハンズフリー機能を有する電子装置に関する。
【背景技術】
【０００２】
自動車に乗車中（特に運転中）に電話をする場合、送受話器を手に持つことができない、あるいは送受話器を手に持つと危険である場合が多いため、車室内に設置されたマイクロホンとスピーカを用いて通話を行えるハンズフリー装置が従来から用いられている。従来は、自動車に装備される電話機としては自動車専用の自動車電話装置が用いられていたが、今日では携帯電話の普及により携帯電話機を、車両に設置されたハンズフリー装置にコネクタで接続してハンズフリー通話を可能にした兼用型が一般的になってきている。
【０００３】
しかし、携帯電話機をハンズフリーとして用いる場合、あるいはハンズフリーとして用いていた携帯電話機を通常の携帯電話機として用いる場合、コネクタからの着脱等による、携帯電話機とハンズフリー装置との通信の接断操作が必要となる。この接断操作を行うには通話を一旦終了する必要がある。あるいは、通話中にこの接断操作を行うと通話が切断されてしまう。このため、通話中に乗車、あるいは降車する場合には、再度電話をかけ直す必要があり、面倒であった。
【先行技術文献】
【特許文献】
【０００４】
【特許文献１】特開平１１−２３４３９１号公報
【発明の概要】
【課題を解決するための手段及びその効果】
【０００５】
本発明は、上記課題に鑑みなされたものであって、ハンズフリー通話と、携帯電話機の送受話器を用いた通話（以降、ハンドセット通話と記す）とを切り換える場合に、利便性の高い電子装置を提供することを目的としている。
【０００６】
上記課題を解決するために、本発明に係る電子装置（１）は、携帯電話と無線通信を行うハンズフリー機能を有する電子装置において、前記携帯電話と無線接続するための接続手段と、該接続手段による前記携帯電話との無線接続時に、該携帯電話が通話状態であった場合に、前記携帯電話による通話を停止するとともに、ハンズフリーによる通話を行うよう制御する制御手段とを備えていることを特徴としている。
上記電子装置（１）によれば、ハンドセット通話中に自動車に乗車する等して、前記携帯電話と無線接続された場合に、通話状態を保持したまま、ハンズフリー通話ができる状態に変わるので、電話のかけ直し操作等が不必要になり、利便性の高いものとなる。
【０００７】
また、本発明に係る電子装置（２）は、上記電子装置（１）において、前記制御手段が、前記携帯電話による通話を維持した状態で前記ハンズフリーによる通話を開始し、その後、前記携帯電話による通話を停止することを特徴としている。
上記電子装置（２）によれば、ハンドセット通話からハンズフリー通話への切換時に、所定時間両通話が可能となるので、急にハンドセット通話ができなくなる等による使用者が通話状態の切換に戸惑うことを防ぐことができる。また、併用期間が限定されるので、ハンズフリー通話と携帯電話による通話とによる音声入出力干渉によるハウリング等の併用による悪影響を最小限に抑えることができる。
【０００８】
また、本発明に係る電子装置（３）は、上記電子装置（１）において、前記制御手段が、当該電子装置への電源供給の状態を検知して、自動的に前記ハンズフリーによる通話を開始することを特徴としている。
上記電子装置（３）によれば、当該電子装置への電源供給の状態を検知して、自動的に前記ハンズフリーによる通話を開始することができる。
【０００９】
また、本発明に係る電子装置（４）は、携帯電話と無線通信を行うハンズフリー機能を有する電子装置において、前記携帯電話と無線接続するための接続手段と、前記携帯電話が通話状態にあるときに、前記接続手段によって、前記携帯電話との無線接続が確立された場合、前記携帯電話による通話を維持し、当該通話中に所定操作がなされた場合に、前記携帯電話による通話を停止したハンズフリー通話とする制御を行う制御手段とを備えていることを特徴としている。
また、本発明に係る電子装置（５）は、上記電子装置（４）において、前記所定操作が、イグニッションスイッチの操作であることを特徴としている。
また、本発明に係る電子装置（６）は、上記電子装置（４）において、前記所定操作が、当該電子装置に設けられたスイッチの操作であることを特徴としている。
【００１０】
上記電子装置（４）〜（６）によれば、ハンドセット通話中に自動車に乗車する等して、前記携帯電話と無線接続された場合、前記携帯電話による通話を維持し、当該通話中に所定操作がなされた場合に、前記携帯電話による通話を停止したハンズフリー通話ができる状態に変わるので、電話のかけ直し操作等が不必要になり、利便性の高いものとなる。
【００１１】
また、本発明に係る電子装置（７）は、携帯電話と無線通信を行うハンズフリー機能を有する電子装置において、前記携帯電話と無線接続するための接続手段と、該接続手段によって前記携帯電話との無線接続が確立した場合に、少なくとも前記携帯電話による通話を維持する第１のモードと、ハンズフリーのみによる通話を行う第２のモードとを選択可能な制御手段とを備えていることを特徴としている。
【００１２】
上記電子装置（７）によれば、ハンドセット通話中に自動車に乗車する等して、前記携帯電話と無線接続された場合に、前記第１のモードと、前記第２のモードとを選択する制御が可能となり、前記第１のモードが選択された場合には、少なくとも前記携帯電話による通話を維持することができ、また、前記第２のモードが選択された場合には、ハンズフリーのみによる通話ができる状態に変わるので、電話のかけ直し操作等が不必要になり、利便性の高いものとなる。
【００１３】
また、本発明に係る電子装置（８）は、上記電子装置（７）において、前記第１のモードが、前記携帯電話による通話及び前記ハンズフリーによる通話の両方を維持するモードであることを特徴としている。
上記電子装置（８）によれば、前記第１のモードが、前記携帯電話による通話及び前記ハンズフリーによる通話の両方を維持するモードであるので、前記携帯電話による通話状態を保持したまま、ハンズフリー通話ができるので、使用者が通話状態の切換に戸惑うことを防ぐことができる。
【００１４】
また、本発明に係る電子装置（９）は、携帯電話と無線通信を行うハンズフリー機能を有する電子装置において、前記携帯電話と無線接続するための接続手段と、該接続手段により前記携帯電話と無線接続された場合に、前記携帯電話による通話、及びハンズフリーによる通話が行えるよう制御する制御手段とを備えていることを特徴としている。
上記電子装置（９）によれば、ハンドセット通話中に自動車に乗車する等して、前記携帯電話と無線接続された場合に、前記携帯電話による通話、及びハンズフリーによる通話ができる状態に制御されるので、電話のかけ直し操作等が不必要になり、利便性の高いものとなる。
【００１５】
また、本発明に係る電子装置（１０）は、携帯電話と無線通信を行うハンズフリー機能を有する電子装置において、前記携帯電話と無線接続するための接続手段と、該接続手段により前記携帯電話と無線接続され、ハンズフリーによる通話中に、前記携帯電話のスイッチ操作を示す信号を受信した場合、前記ハンズフリーによる通話を停止する制御手段とを備えていることを特徴としている。
上記車載用電話システム（１０）によれば、ハンズフリーによる通話中に、前記携帯電話のスイッチ操作を示す信号を受信した場合、前記ハンズフリーによる通話が停止される。
【００１６】
また、本発明に係る電子装置（１１）は、携帯電話との無線通信に関する検知を行う接続検知手段と、前記携帯電話による通話を禁止してハンズフリーによる通話を行うよう制御する制御手段とを有する、ハンズフリー機能を備えた電子装置において、バッテリ容量監視部と、該バッテリ容量監視部によりバッテリの容量低下が検出された場合に報知を行うとともに、ハンズフリーによる通話を禁止する制御手段とを備えていることを特徴としている。
【００１７】
上記電子装置（１１）によれば、前記バッテリ容量監視部によりバッテリの容量低下が検出された場合に報知を行うとともに、ハンズフリーによる通話が禁止されるので、電力消費を抑え、バッテリあがり等を防止でき、また、前記報知により、装置の故障等に間違える等、ハンズフリー通話ができないことによる使用者の戸惑いを防止できる。
また、本発明に係る電子装置（１２）は、携帯電話と無線通信を行うハンズフリー機能を有する電子装置において、前記携帯電話と無線接続するための接続手段と、該接続手段により前記携帯電話と無線接続されている場合に、イグニッションスイッチの操作に応じて前記携帯電話による通話、又は前記携帯電話による通話を停止したハンズフリー通話を選択するよう制御する制御手段を備えていることを特徴としている。
【００１８】
上記電子装置（１２）によれば、前記イグニッションスイッチの操作に応じて前記携帯電話による通話、又は前記携帯電話による通話を停止したハンズフリー通話を選択するよう制御されるので、例えば、前記イグニッションスイッチのオン操作が検出された場合には、前記携帯電話による通話を停止したハンズフリー通話を選択し、前記イグニッションスイッチのオフ操作が検出された場合には、前記携帯電話による通話を選択することができ、利便性の高いものとなる。
【図面の簡単な説明】
【００１９】
【図１】本発明の実施の形態に係る電子装置が採用された車載用電話システムの概略構成を示すブロック図である。
【図２】ハンズフリー装置および携帯電話機の行う、接続検出時の制御を示すフローチャートである。
【図３】ハンズフリー装置および携帯電話機の行う、降車時制御を示すフローチャートである。
【発明を実施するための形態】
【００２０】
以下、本発明の実施の形態に係る電子装置を図面に基づいて説明する。図１は実施の形態に係る電子装置が採用された車載用電話システムの概略構成を示すブロック図である。
【００２１】
図中１はハンズフリー本体部を示しており、ハンズフリー本体部１はハンズフリー部３、携帯電話インターフェイス６、タイマ７、乗車・降車検出部８を含んで構成されている。ハンズフリー部３にはマイクロホン４及びスピーカ５が接続されており、マイクロホン４はハンズフリー通話に対して車室内の適切なところ、例えばステアリングのホーン操作部や、計器板の上部、運転手用サンバイザ等に設置される。マイクロホン４からの出力信号は、ハンズフリー部３に入力され、最終的には送話音声信号として通話先へ送られる。また、スピーカ５は車室内における音声が良く聞こえ、マイクロホン４との干渉の少ない適切な箇所に配置され、通話先からの受話音声信号がハンズフリー部３からスピーカ５に出力され、音声として再生される。ハンズフリー部３は、これらマイクロホン４やスピーカ５に対する音声信号の処理を行うための増幅回路（図示せず）やスイッチ回路（図示せず）等を有し、また各種制御、データ処理等を行うマイクロコンピュータ（図示せず）、各種操作を行うためのスイッチ等から構成された操作部（図示せず）、液晶表示装置等により構成された表示部（図示せず）を備えている。
【００２２】
携帯電話インターフェイス６は携帯電話機１５との通信接続を行うもので、本実施の形態における車載用電話システムでは、通信接続システムとして狭域無線ＬＡＮ（例えばBLUETOOTH と呼ばれるシステム）等が採用できるが、当然他の狭域無線システムでも通用可能である。従って、無線電話通信を行う携帯電話機１５には、通常の無線電話用通信回路の他に、ハンズフリー本体部１との無線接続用の外部インターフェイス１６が設けられており、携帯電話機１５とハンズフリー本体部１とは、通話音声信号や各種データ通信が可能となっている。
【００２３】
尚、前記無線通信システムとしては、狭域通信（低出力）が採用されるので、携帯電話機１５とハンズフリー本体部１とは、その距離が近い時（車室内および車両の周囲約１〜２ｍの範囲内において）だけ通信が可能となっている。携帯電話機１５とハンズフリー本体部１との通信は、前記無線通信システムではなくコネクタを用いた有線接続によっても可能で、また無線通信システムとコネクタによる有線接続との併用によっても可能である。
【００２４】
車両には乗車・降車センサ１４が設置されており、この乗車・降車センサ１４からの信号は乗車・降車検出部８に入力されるようになっている。乗車・降車検出部８は乗車・降車センサ１４からの信号に基づいて運転手等の乗員の乗車・降車、つまりハンズフリー通話及びハンドセット通話の要否を判断するようになっている。
【００２５】
乗車・降車センサ１４は、乗員の座席への着座を検出する着座センサ（座席内に設けられた圧力センサや、座席位置を通る光線の遮断・反射状態により乗員位置を検出する光センサ等により構成されている）、ドアの開閉状態およびドアロックの施錠・解錠状態を示す信号を出力するドア状態センサを含んで構成され、乗車・降車検出部８はこれらセンサの出力信号の変化を読み取って乗員の乗車・降車を判断するようになっている。
【００２６】
タイマ７は乗車・降車検出部８からの信号及び携帯電話インターフェイス６からの信号に基づくタイマ動作を行い、ハンズフリー通話及びハンドセット通話を併用する期間を決定する信号をハンズフリー部３に出力するようになっている。
【００２７】
車両に装備されたバッテリ１２は、車載用オーディオシステム１３等にイグニッションスイッチ（アクセサリスイッチ）（図示せず）を介して電力を供給する。電源制御部９は車両のバッテリ１２に直接（イグニッションスイッチを介さず）接続され、この電源制御部９によりハンズフリー本体部１への電源供給が制御されている。従って、イグニッションスイッチＯＦＦ時であっても、ハンズフリー通話が可能となっている。電源制御部９は、リレー（図示せず）やスイッチングトランジスタ（図示せず）を含んで構成されている。
【００２８】
バッテリ容量監視部１１は、バッテリ１２の電圧変動を監視し、バッテリ１２の容量低下を検出して容量低下信号を制御部１０に出力している。制御部１０は、容量低下信号を受け取ると、ハンズフリー通話の制限を行う。つまり、バッテリ容量の低下時には、電源制御部９を制御してハンズフリー本体部１への電源供給を停止し、ハンズフリー通話を禁止して電力消費を抑えるように構成されている。また、バッテリ容量の低下時であっても、車両のエンジン動作中は発電がなされており、バッテリあがりの可能性は低いのでハンズフリー本体部１への電源供給を維持させ、ハンズフリー通話を許可するようになっている。また、制御部１０はバッテリ容量の低下時には、ハンズフリー通話を禁止している旨を示す信号をハンズフリー本体部１に出力し、バッテリ容量の低下によりハンズフリー通話を禁止している旨を表示あるいは音声報知させるようになっている。ハンズフリー本体部１、電源制御部９、制御部１０、バッテリ容量監視部１１を含んでハンズフリー装置２が構成されている。
【００２９】
次に、ハンズフリー装置２および携帯電話機１５、より正確にはハンズフリー装置２および携帯電話機１５の各々に内蔵のマイクロコンピュータ、の行う携帯電話機１５を携帯した乗員の乗車時の制御について説明する。図２は、ハンズフリー装置２および携帯電話機１５の行う、携帯電話機１５を携帯した乗員の乗車時の制御を示すフローチャートである。尚、これらの処理はハンドセット通話中に、他の処理と共に繰り返し実行される。
【００３０】
ハンズフリー装置２側において、まずステップＳ１では、携帯電話機１５の通信接続状態が判断され、接続と判断されればステップＳ２に移り、接続が検出されなければ処理を終える。つまり、携帯電話機１５の通信接続が検出されれば、以降のハンズフリー通話を行うための処理が行われる。尚、携帯電話機１５の通信接続は、携帯電話インターフェイス６による携帯電話機１５の外部インターフェイス１６との通信の検出（つまり、携帯電話機１５の接近により外部インターフェイス１６からの信号を受信した時）、乗員の座席への着座検出、車両のドアのロックが解除されてドアが開けられたことの検出、等により判断される。
【００３１】
ステップＳ２では、ハンズフリー通話を開始し、つまりハンズフリー装置２のマイクロホン４、スピーカ５での通話を可能とし、ステップＳ３に移る。ステップＳ３では、ハンズフリー通話とハンドセット通話の両方ができる併用期間を規定するタイマを起動させ、ステップＳ４に移る。
【００３２】
ステップＳ４では、ハンズフリー通話とハンドセット通話の同時通話解除条件が成立しているか否かを判断し、成立していると判断すればステップＳ６に移り、成立していないと判断すればステップＳ５に移る。同時通話解除条件は、ハンドセット通話を停止しても問題がないと推定される条件で、携帯電話機１５を車両に設置された携帯電話機１５の載置装置に装着した時（圧力センサや光学センサ等にて検出）、携帯電話機１５とハンズフリー装置２とを図示省略したコネクタで接続した場合（コネクタを介した伝送信号状態で検出）、イグニッションスイッチのオン操作（エンジンオンまたはアクセサリオン（車載電子機器への電源供給オン））、あるいはハンズフリー装置２のハンズフリー開始スイッチの操作等が挙げられる。
【００３３】
ステップＳ５では、携帯電話機１５の通信接続検出から所定時間（例えば１分）経過したか否かをステップＳ３で起動したタイマの計時状態より判断し、所定時間経過していると判断すればステップＳ６に移り、経過していないと判断すればステップＳ４に戻る。この所定時間は、メモリに更新可能に記憶されており、ハンズフリー装置２の操作部の操作により使用者の好みに応じて設定することが可能となっている。ステップＳ６では、携帯電話機１５にハンドセット通話停止指令信号を送信し、処理を終える。
【００３４】
携帯電話機１５側においては、まずステップＳ１１で、ハンズフリー装置２からのハンドセット通話停止指令信号を受信しているか否かを判断し、受信していると判断すればステップＳ１２に移り、受信していないと判断すれば処理を終える。ステップＳ１２では、携帯電話機１５によるハンドセット通話を停止し（携帯電話機１５のマイクロホン、スピーカの動作を停止）、処理を終える。
【００３５】
上記処理によれば、携帯電話機１５の通信接続が検出されればハンズフリー通話が開始される。そして、携帯電話機１５の通信接続が検出されてから所定時間が経過するまでは、ハンズフリー通話とハンドセット通話の両方が可能となる。また、ハンドセット通話は、携帯電話機１５を車両に設置された携帯電話機１５の載置装置に装着した時、携帯電話機１５とハンズフリー装置２とを図示省略したコネクタで接続した場合、イグニッションスイッチのオン操作、ハンズフリー装置２のハンズフリー開始スイッチの操作等の条件が成立すれば停止されるが、これら条件が成立しなくても、所定時間（ステップＳ５で規定）が経過すればハンドセット通話は停止される（時間の上限が設定されている）。
【００３６】
次にハンズフリー装置２および携帯電話機１５の行う携帯電話機１５を携帯した乗員の降車時の制御について説明する。図３は、ハンズフリー装置２および携帯電話機１５の行う、携帯電話機１５を携帯した乗員の降車時の制御を示すフローチャートである。尚、これら処理はハンズフリー通話中に、他の処理と共に繰り返し実行される。
【００３７】
ハンズフリー装置２側において、まずステップＳ２１では、イグニッションスイッチがオフか否かを判断し、オンであれば処理を終え、オフであればステップＳ２２に移る。つまり、イグニッションスイッチがオンからオフになれば、以降のハンドセット通話を行うための処理が行われる。
【００３８】
ステップＳ２２では、ハンドセット通話を開始し、つまり携帯電話機１５にハンドセット通話開始指令信号を送信し、ステップＳ２３に移る。ステップＳ２３では、ハンズフリー通話とハンドセット通話の両方ができる併用期間を規定するタイマを起動させ、ステップＳ２４に移る。
【００３９】
ステップＳ２４では、ハンズフリー通話とハンドセット通話の同時通話解除条件が成立しているか否かを判断し、成立していると判断すればステップＳ２６に移り、成立していないと判断すればステップＳ２５に移る。同時通話解除条件は、ハンズフリー通話を停止しても問題がないと推定される条件で、携帯電話機１５のハンドセット通話開始スイッチの操作を示す信号を受信した時、携帯電話機１５とハンズフリー装置２とのコネクタ接続が外された場合（コネクタを介した伝送信号状態で検出）、着座センサにより乗員の離席が検出された時、車両のドアが開けられた後再度閉じられその後にドアロックが施錠された時、あるいは携帯電話インターフェイス６と携帯電話機１５の外部インターフェイス１６との間の通信が遮断された（電波の無検出）時、等が挙げられる。
【００４０】
ステップＳ２５では、イグニッションスイッチのオフから所定時間（例えば１分）経過したか否かをステップＳ２３で起動したタイマの計時状態より判断し、所定時間経過していると判断すればステップＳ２６に移り、経過していないと判断すればステップＳ２４に戻る。尚、この所定時間は、メモリに更新可能に記憶されており、ハンズフリー装置２の操作部の操作により使用者の好みに応じて設定することが可能となっている。ステップＳ２６では、ハンズフリー通話を停止（マイクロホン４およびスピーカ５の動作停止）し、処理を終える。
【００４１】
携帯電話機１５側においては、まずステップＳ３１で、ハンズフリー装置２からのハンドセット通話開始指令信号を受信しているか否かを判断し、受信していると判断すればステップＳ３２に移り、受信していないと判断すれば処理を終える。ステップＳ３２では、携帯電話機１５によるハンドセット通話を開始し（携帯電話機１５のマイクロホン、スピーカの動作を開始）、処理を終える。
【００４２】
上記処理によれば、イグニッションスイッチのオフ操作が検出されれば携帯電話機１５によるハンドセット通話が開始される。そして、イグニッションスイッチのオフ操作が検出されてから所定時間が経過するまでは、ハンズフリー通話とハンドセット通話の両方が可能となる。また、ハンズフリー通話は、携帯電話機１５のハンドセット通話開始スイッチを操作するまで、携帯電話機１５とハンズフリー装置２とのコネクタ接続が外された時、乗員が座席より離れた時、車両のドアが開けられた後再度閉じられその後にドアロックが施錠された時、あるいは携帯電話インターフェイス６と携帯電話機１５の外部インターフェイス１６との間の通信が遮断された時に停止されるが、これら条件が成立しなくても、所定時間（ステップＳ２５で規定）が経過すればハンズフリー通話は停止される（上限が設定されている）。
【００４３】
実施の形態に係る電子装置が採用された車載用電話システムによれば、ハンドセット通話中に自動車に乗車する等して、携帯電話機１５とハンズフリー装置２とが通信接続された場合に、通話状態を保持したまま、ハンズフリー通話ができる状態に変わるので、電話のかけ直し操作等が不必要になり、利便性の高いものとなる。
【符号の説明】
【００４４】
１・・・ハンズフリー本体部
２・・・ハンズフリー装置
３・・・ハンズフリー部
６・・・携帯電話インターフェイス
７・・・タイマ
８・・・乗車・降車検出部
１５・・・携帯電話機
１６・・・外部インターフェイス
【図１】
2010124473.tif 000003
【図２】
2010124473.tif 000004
【図３】
2010124473.tif 000005